(57)【特許請求の範囲】
【請求項１】
各負荷の使用電力量、運転時間、目標電力量に対する使用電力量の割合のうちの少なくとも一つを制御パラメータとして所定期間の間隔で集計する集計手段と、
期間が始まる際に、稼動させる各負荷の使用電力量の合計値が全体の目標電力量を超えないように、現時点の期間の直前の期間に集計された制御パラメータに基づいて、電力供給を遮断する前記各負荷の優先順位を決定する決定手段と、
を備え、
前記決定手段は、前記各負荷において、前記直前の期間に集計された制御パラメータの差が所定範囲内の場合は、前記直前の期間の一つ前の期間に集計された制御パラメータに基づいて、電力供給を遮断する前記各負荷の優先順位を決定することを特徴とする電力デマンド制御装置。
【請求項２】
各負荷の使用電力量、運転時間、目標電力量に対する使用電力量の割合のうちの少なくとも一つを制御パラメータとして所定期間の間隔で集計する集計手段と、
期間が始まる際に、稼動させる各負荷の使用電力量の合計値が全体の目標電力量を超えないように、現時点の期間の直前の期間に集計された制御パラメータに基づいて、電力供給を遮断する前記各負荷の優先順位を決定する決定手段と、
前記各負荷において、前記直前の期間に集計された制御パラメータの差が所定範囲内の場合は、前記所定期間を長くする変更手段と、
を備えたことを特徴とする電力デマンド制御装置。
【請求項３】
前記集計手段は、前記各負荷の使用電力量を前記制御パラメータとして前記所定期間の間隔で集計し、
前記決定手段は、期間が始まる際に、前記直前の期間で計測された使用電力量が多い負荷ほど、電力供給を遮断する優先順位を高くすることを特徴とする請求項１又は請求項２に記載の電力デマンド制御装置。
【請求項４】
前記集計手段は、入力手段からの指定により、前記所定期間を変更することを特徴とする請求項１から請求項３のいずれか一項に記載の電力デマンド制御装置。
【発明の詳細な説明】
【技術分野】
【０００１】
この発明は、電力デマンド制御装置に関するものである。
【背景技術】
【０００２】
電力デマンド制御装置は、予め登録されている優先順位に基づいて、電力供給を遮断する各負荷群を選定する（例えば、特許文献１参照）。
【先行技術文献】
【特許文献】
【０００３】
【特許文献１】特開平９−９５０２号公報
【発明の概要】
【発明が解決しようとする課題】
【０００４】
しかしながら、実際には優先順位の差がない各負荷群にも電力制御を実施するために優先順位を設定する必要がある。この場合、電力供給を遮断する優先順位を高く設定された各負荷群は、電力供給を遮断する優先順位を低く設定された各負荷群よりも先に電力供給が遮断される。このため、電力供給の遮断に対する公平性が確保されない。
【０００５】
この発明は、上述の課題を解決するためになされたもので、その目的は、電力供給の遮断に対する公平性を各負荷の間で確保することができる電力デマンド制御装置を提供することである。
【課題を解決するための手段】
【０００６】
この発明に係る電力デマンド制御装置は、各負荷の使用電力量、運転時間、目標電力量に対する使用電力量の割合のうちの少なくとも一つを制御パラメータとして所定期間の間隔で集計する集計手段と、期間が始まる際に、稼動させる各負荷の使用電力量の合計値が全体の目標電力量を超えないように、現時点の期間の直前の期間に集計された制御パラメータに基づいて、電力供給を遮断する各負荷の優先順位を決定する決定手段と、を備え、前記決定手段は、前記各負荷において、前記直前の期間に集計された制御パラメータの差が所定範囲内の場合は、前記直前の期間の一つ前の期間に集計された制御パラメータに基づいて、電力供給を遮断する前記各負荷の優先順位を決定するものである。
この発明に係る電力デマンド制御装置は、各負荷の使用電力量、運転時間、目標電力量に対する使用電力量の割合のうちの少なくとも一つを制御パラメータとして所定期間の間隔で集計する集計手段と、期間が始まる際に、稼動させる各負荷の使用電力量の合計値が全体の目標電力量を超えないように、現時点の期間の直前の期間に集計された制御パラメータに基づいて、電力供給を遮断する前記各負荷の優先順位を決定する決定手段と、前記各負荷において、前記直前の期間に集計された制御パラメータの差が所定範囲内の場合は、前記所定期間を長くする変更手段と、を備えたものである。
【発明の効果】
【０００７】
この発明によれば、電力供給の遮断に対する公平性を各負荷の間で確保することができる。
【図面の簡単な説明】
【０００８】
【図１】この発明の実施の形態１における電力デマンド制御装置のブロック図である。
【図２】この発明の実施の形態１における電力デマンド制御装置の制御パラメータの一例を説明するための図である。
【図３】この発明の実施の形態１における電力デマンド制御装置により電力供給を遮断する各負荷群の優先順位を決定する方法の一例を説明するための図である。
【図４】この発明の実施の形態１における電力デマンド制御装置の動作を説明するためのフローチャートである。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１における電力デマンド制御装置のブロック図である。
【００１１】
図１において、１は各負荷群である。各負荷群１は、空調設備、照明設備、防犯設備等のビルの設備を消費電力等に基づいてグループ化したものである。２は負荷制御手段である。負荷制御手段２は、各負荷群１の動作を制御する機能を備える。３は計測手段である。計測手段３は、各負荷群１の使用電力量、運転時間の積算値、目標電力量に対する使用電力量の割合等を計測する機能を備える。
【００１２】
４は時刻監視手段である。時刻監視手段４は、時間・時刻を監視する機能を備える。５はパラメータ入力手段である。パラメータ入力手段５は、所定の操作がなされた際に、電力供給を遮断する各負荷群１の順番を決定する際の制御パラメータを指定する機能を備える。
【００１３】
６は演算手段である。演算手段６は、集計手段として、各負荷群１の使用電力量、運転時間の積算値、目標電力量に対する使用電力量の割合等の中から指定された制御パラメータの集計値を所定期間の間隔で演算する機能を備える。演算手段６は、決定手段として、期間が始まる際に、稼動させる各負荷群１の使用電力量の合計値が全体の目標電力量を超えないように、現時点の期間の直前の期間に集計された制御パラメータに基づいて、電力供給を遮断する各負荷群１の優先順位を決定する機能を備える。
【００１４】
次に、図２を用いて、制御パラメータの一例を説明する。
図２はこの発明の実施の形態１における電力デマンド制御装置の制御パラメータの一例を説明するための図である。
【００１５】
図２においては、電力供給を遮断する優先順位を付ける各負荷群１として、グループＡ〜Ｃが指定される。優先順位を付ける判定条件として、使用電力量が指定される。優先順位を付ける演算タイミングとして、毎日０時が指定される。
【００１６】
次に、図３を用いて、電力供給を遮断する各負荷群１の優先順位を決定する方法の一例を説明する。
図３はこの発明の実施の形態１における電力デマンド制御装置により電力供給を遮断する各負荷群の優先順位を決定する方法の一例を説明するための図である。
【００１７】
演算手段６は、毎日の０時の演算タイミングにおいて、前日の０時から現時点までのグループＡ〜Ｃの使用電力量を集計する。当該集計結果に基づいて、演算手段６は、グループＡ〜Ｃに対し、電力供給を遮断する優先順位を決定する。
【００１８】
図３においては、グループＡの使用電力量は、１０００ｋＷである。グループＢの使用電力量は、８００ｋＷである。グループＣの使用電力量は、９００ｋＷである。この場合、演算手段６は、グループＡ、グループＣ、グループＢの順番で電力供給を遮断するように優先順位を決定する。
【００１９】
次に、図４を用いて、電力デマンド制御装置の動作を説明する。
図４はこの発明の実施の形態１における電力デマンド制御装置の動作を説明するためのフローチャートである。
【００２０】
ステップＳ１では、演算手段６は、指定時刻になったか否かを判定する。例えば、図２の設定がなされている場合、演算手段６は、０時になった否かを判定する。指定時刻になっていない場合は、ステップＳ１が繰り返される。これに対し、指定時刻になった場合は、ステップＳ２に進む。
【００２１】
ステップＳ２では、演算手段６は、遮断グループとして指定された各負荷群１に対し、指定された計測値を取得する。例えば、図２の設定の場合、演算手段６は、グループＡ〜Ｃに対し、直前の０時から現時点までの使用電力量を取得する。
【００２２】
その後、ステップＳ３に進み、演算手段６は、取得した使用電力量に基づいて、電力供給を遮断する際の優先順位を決定するための演算を開始する。例えば、図３の電力使用量の場合、演算手段６は、グループＡ、グループＣ、グループＢの順番で電力供給を遮断するように優先順位を決定する。
【００２３】
その後、ステップＳ４に進み、各負荷群１の使用電力量の合計値が所定の目標電力量に近づくと、電力デマンド制御が実施される。具体的には、演算手段６は、決定した優先順位に対応した電力遮断指令を負荷制御手段２に出力する。当該電力遮断指令に基づいて、負荷制御手段２は、各負荷群１への電力供給を順番に遮断する。例えば、図３の電力使用量の場合、グループＡ、グループＣ、グループＢの順番で、電力供給が遮断される。
【００２４】
以上で説明した実施の形態１によれば、現時点の期間の直前の期間に集計された制御パラメータに基づいて、電力供給を遮断する各負荷群１の優先順位が決定される。例えば、直前の期間で使用電力量の少ない各負荷群１は、当該期間において、優先的に電力を使用することができる。すなわち、直前の期間に節電へ貢献した利用者のいる領域においては、次の期間で各負荷群１を利用できる可能性が高まる。このため、電力供給の遮断に対する公平性を各負荷群１の間で自動的に確保することができる。
【００２５】
また、演算タイミングは、パラメータ入力手段５で指定される。このため、１時間、１週間等、所望の期間で電力供給を遮断する各負荷群１の優先順位を決定することができる。
【００２６】
なお、各負荷群１において、直前の期間に集計された制御パラメータの差が所定範囲内の場合は、直前の期間の一つ前の期間に集計された制御パラメータに基づいて、電力供給を遮断する各負荷群１の優先順位を決定すればよい。この場合、各負荷群１において、直前の期間に集計された制御パラメータの差がほとんどなくても、電力供給を遮断する各負荷群１の優先順位を決定することができる。
【００２７】
また、演算手段６は、変更手段として、各負荷群１において、直前の期間に計測された制御パラメータの差が所定範囲内の場合に所定期間を長くしてもよい。この場合、その後の期間において、当該各負荷群１に対し、制御パラメータの集計値の差が付きやすくなる。このため、電力供給の遮断に対する公平性を各負荷群１の間でより適切に確保することができる。
【００２８】
また、制御パラメータを各負荷群１の使用人数で除した値に基づいて、電力供給を遮断する各負荷群１の優先順位を決定してもよい。この場合、電力供給の遮断に対する公平性を各負荷群１の間でより適切に確保することができる。
【００２９】
また、事務の部署、製造の部署、給食の部署等、部署単位で各負荷群１がグループ化してもよい。この場合、各部署の重要度等に応じて、各負荷群１に重み付けをすればよい。例えば、製造の部署の各負荷群１への電力供給が遮断されないように重み付けをすればよい。この場合、電力デマンド制御を実施しても、製造ラインが停止することを防止できる。
【００３０】
また、各負荷群１が設置された領域の広さを考慮してもよい。例えば、広い領域に設置された各負荷群１への電力供給が遮断されないように重み付けをすればよい。この場合、領域の広さに応じて、電力供給の遮断に対する公平性を各負荷群１の間でより適切に確保することができる。
【００３１】
また、各負荷群１の空調機の台数を考慮してもよい。例えば、空調機の台数が多い各負荷群１への電力供給が遮断されないように重み付けをすればよい。この場合、空調機の台数に応じて、電力供給の遮断に対する公平性を各負荷群１の間でより適切に確保することができる。
【００３２】
また、空調設備等の各負荷を消費電力の設定値に対応付けて記憶した記憶手段を設けてもよい。この場合、演算手段６等により、所定範囲内の消費電力の各負荷をグループ化して、各負荷群１を設定すればよい。この際、演算手段６等により、各負荷群１の中の各負荷に対して、現時点の期間の直前の期間に集計された制御パラメータに基づいて、電力供給を遮断する優先順位を決定してもよい。この場合、電力供給の遮断に対する公平性を個々の負荷の間でより適切に確保することができる。
【符号の説明】
【００３３】
１  各負荷群
２  負荷制御手段
３  計測手段
４  時刻監視手段
５  パラメータ入力手段
６  演算手段
【図１】
0005686078.tif 000002
【図２】
0005686078.tif 000003
【図３】
0005686078.tif 000004
【図４】
0005686078.tif 000005